(57)【要約】【課題】原稿載置面を覆う原稿カバーと、原稿カバーのヒンジの近傍に配置された給紙装置の給紙口とを備えたスキャナ機能を有するプリンタにおいて、原稿カバー上に置かれたクリップ等の物品が、原稿カバーを開いたときに不測に給紙口内に落下してしまうことを防止する。【解決手段】原稿カバー５のヒンジ側縁部に、その先端が原稿カバー５の自由端側へ向かって傾斜し、その幅が給紙口９の幅とほぼ同等である立壁部５ｂを原稿カバー５と一体に形成する。立壁部５ｂの高さは、閉じた状態の原稿カバー５上に、用紙載置板１１を倒伏させたときに、用紙載置板１１と立壁部５ｂの上端とが干渉しない高さであって、かつ、原稿カバー５を開いたときに、原稿カバー５上に置かれた物品Ｆがヒンジ側へ向かって滑落しても、給紙口９内に落下する前に、その物品Ｆを受止めることができる高さに設定する。【選択図】図１
2007049512.tif 000002
【特許請求の範囲】
【請求項１】
水平で透明な原稿載置面と、この原稿載置面を覆うように片側をヒンジによって開閉自在に筐体に支持された原稿カバーと、この原稿カバーのヒンジの近傍に配置された給紙装置の給紙口と、この給紙口へ用紙を送り込むように傾斜して設けられた用紙載置板とを備え、前記用紙載置板が前記原稿カバー方向へ倒伏自在になったスキャナ機能を有するプリンタにおいて、
前記原稿カバーのヒンジ側縁部に、その先端が前記原稿カバーの自由端側へ向かって傾斜し、その幅が前記給紙口の幅とほぼ同等である立壁部が前記原稿カバーと一体に形成され、
前記立壁部の高さは、閉じた状態の前記原稿カバー上に、前記用紙載置板が倒伏したときに、用紙載置板と立壁部が干渉しない高さであって、かつ、
前記原稿カバーを開いたときに、原稿カバー上に置かれた物品が滑落しても、前記給紙口内に落下する前に、その物品を受止めることができる高さであることを特徴とするスキャナ機能を有するプリンタ。
【請求項２】
水平で透明な原稿載置面と、この原稿載置面を覆うように片側をヒンジによって開閉自在に筐体に支持された原稿カバーと、この原稿カバーのヒンジの近傍に配置された給紙装置の給紙口とを備えたスキャナ機能を有するプリンタにおいて、
前記原稿カバーのヒンジ側縁部に、その先端が前記原稿カバーの自由端側へ向かって傾斜した立壁部が前記原稿カバーと一体に形成され、前記原稿カバーを開いたときに、原稿カバー上に置かれた物品が滑落しても、その物品が前記立壁部によって受止められ、前記給紙口内に落下することを防止したことを特徴とするスキャナ機能を有するプリンタ。
【請求項３】
前記立壁部の幅が前記給紙口の幅とほぼ同等であることを特徴とする請求項２に記載のスキャナ機能を有するプリンタ。
【発明の詳細な説明】
【技術分野】
【０００１】
本発明は、スキャナ機能を有するプリンタ、特に、装置背面側に給紙トレイを有し、装置前面側にプリントされた用紙が排出されるタイプのプリンタに関する。
【背景技術】
【０００２】
近年、スキャナ機能を有し、コピー機としても使用可能な一般的にオールインワンタイププリンタが普及している。
【０００３】
上記スキャン機能を有するオールインワンタイププリンタは、基本的に単機能のプリンタとスキャナとを組合わせたものであって、その内部の画像形成機構は、従来のプリンタ、例えばインクジェットプリンタのものを踏襲している。そのため、用紙の供給口は装置の背面側に設けられ、プリントされた用紙の排出口は装置の前面側に配置されることが多い。
【０００４】
一方、印字した用紙の排出口が装置の上面に配置され、用紙排出時の紙づまり等のメンテナンスが容易にできるように、用紙排出口を構成するパネル部を開閉自在に構成したプリンタが知られている（例えば、特許文献１及び特許文献２参照）。
【特許文献１】特開平６−２９７８０９号公報
【特許文献２】特開平８−２９０６３２号公報
【発明の開示】
【発明が解決しようとする課題】
【０００５】
ところで、装置の後面側に用紙の供給口が配置されたスキャン機能を有するオールインワンタイププリンタでは、ユーザがそのプリンタをスキャナ又はコピーとして使用するときに、次のようなトラブルを引き起こしてしまうことがあった。
【０００６】
つまり、原稿載置面には原稿カバーが開閉自在に設けられており、ユーザが原稿を読取らせようとするときには、まずその原稿カバーを上方へ開いて原稿載置面に原稿を載置する。原稿カバーは、通常その後ろ側がヒンジによって装置の筐体に支持されているので、仮にユーザが、原稿載置面に載置する原稿から一時的に外したクリップ等を原稿カバー上に置いたまま原稿カバーを開いてしまったとすると、クリップ等の物品が原稿カバー上を滑って装置の後ろ側に落下する。
【０００７】
クリップ等の物品が、装置の後面側に設けられている用紙の供給口内に落下してしまった場合には、落下した物品が、ローラやギヤ等からなる給紙機構内に侵入して故障の原因になる虞がある。また、一旦用紙の供給口内に落下してしまったクリップ等の物品は、取り出すことが極めて困難である。
【０００８】
上記トラブルが生じないように、原稿カバーを左右へ開閉する構造とすることも考えられるが、原稿カバーの開閉時の動作が大きくなる等の別の不便が生じる。
【０００９】
そこで、本発明は、原稿載置面を覆うように片側をヒンジによって開閉自在に筐体に支持された原稿カバーと、この原稿カバーのヒンジの近傍に配置された給紙装置の給紙口とを備えたスキャナ機能を有するオールインワンタイププリンタにおいて、原稿カバー上に置かれたクリップ等の物品が、原稿カバーを開いたときに、原稿カバー上面を滑って給紙口内に落下してしまうことを防止したプリンタを提供することを目的とする。
【課題を解決するための手段】
【００１０】
上記目的を達成するために、請求項１の発明は、水平で透明な原稿載置面と、この原稿載置面を覆うように片側をヒンジによって開閉自在に筐体に支持された原稿カバーと、この原稿カバーのヒンジの近傍に配置された給紙装置の給紙口と、この給紙口へ用紙を送り込むように傾斜して設けられた用紙載置板とを備え、前記用紙載置板が前記原稿カバー方向へ倒伏自在になったスキャナ機能を有するプリンタにおいて、前記原稿カバーのヒンジ側縁部に、その先端が前記原稿カバーの自由端側へ向かって傾斜し、その幅が前記給紙口の幅とほぼ同等である立壁部が前記原稿カバーと一体に形成され、前記立壁部の高さは、閉じた状態の前記原稿カバー上に、前記用紙載置板が倒伏したときに、用紙載置板と立壁部が干渉しない高さであって、かつ、前記原稿カバーを開いたときに、原稿カバー上に置かれた物品が滑落しても、前記給紙口内に落下する前に、その物品を受止めることができる高さであることを特徴とする。
【００１１】
請求項２の発明は、水平で透明な原稿載置面と、この原稿載置面を覆うように片側をヒンジによって開閉自在に筐体に支持された原稿カバーと、この原稿カバーのヒンジの近傍に配置された給紙装置の給紙口とを備えたスキャナ機能を有するプリンタにおいて、前記原稿カバーのヒンジ側縁部に、その先端が前記原稿カバーの自由端側へ向かって傾斜した立壁部が前記原稿カバーと一体に形成され、前記原稿カバーを開いたときに、原稿カバー上に置かれた物品が滑落しても、その物品が前記立壁部によって受止められ、前記給紙口内に落下することを防止したことを特徴とする。
【００１２】
請求項３の発明は、請求項２の発明において、前記立壁部の幅が前記給紙口の幅とほぼ同等であることを特徴とする。
【発明の効果】
【００１３】
本発明によれば、原稿載置面を覆うように片側をヒンジによって開閉自在に筐体に支持された原稿カバーと、この原稿カバーのヒンジの近傍に配置された給紙装置の給紙口とを備えたスキャナ機能を有するプリンタにおいて、ユーザがスキャナ機能又はコピー機能を用いるときに、クリップ等の物品を原稿カバー上に置いたまま原稿カバーを上方へ開いても、クリップ等の物品が給紙口内へ落下してしまうトラブルを防止することができる。
【発明を実施するための最良の形態】
【００１４】
以下、本発明の実施形態に係るスキャナ機能を有するプリンタ１について、図１乃至図３を参照して説明する。本実施形態のプリンタ１は、略直方形の筐体２を有し、その筐体２内に収納されたスキャン読取り装置、印字装置、及び給紙装置（不図示）等からなるプリンタ本体部３と、筐体２の上面に形成された水平な原稿載置面４を開閉自在に覆う原稿カバー５とを備えている。原稿載置面４は、その上に載置した原稿がスキャン読取装置（不図示）によって下方から透視して読取られるようにガラス等の透明材で構成されている。
【００１５】
筐体２の前面の上部には操作キー６やＬＣＤ等からなる表示パネル７が設けてあり、下部にはプリントされた用紙の排出口８が設けてある。
【００１６】
筐体２の後部には、給紙装置の給紙口９が形成されており、この給紙口９へ用紙を１枚ずつ送り込むように、用紙載置板１１が傾斜して設けられている。用紙載置板１１は、その適所から延びるアーム部１１ａの先端と筐体２の上部とが水平軸１２によって連結され、後方へ傾斜した姿勢（図２の実線）と前方へ倒伏した姿勢（図２の二点差線）との間で旋回自在である。用紙載置板１１を倒伏姿勢へ旋回させれば、当該プリンタを収納する場合や、移動させる場合に全体の嵩が減少して都合がよい。
【００１７】
原稿カバー５は、筐体２の上面のほぼ全面を覆い、給紙口９に対向する部分に凹所５ａが形成された平面視が長方形であり、凹所５ａの左右に設けたヒンジ１３によって筐体２に対して回動自在に支持されている。すなわち、原稿カバー５を上方へ回動させれば（図３の二点差線）、原稿載置面４が露出して、ユーザがその上に原稿を載置することができる。そして、原稿カバー５を下方へ回動して原稿載置面を覆えば（図３の実線）、原稿の読取りを行うときに外部からの光漏れがなくなって鮮明な画像の読取りが可能となる。
【００１８】
そして、原稿カバー５は、例えば合成樹脂製であり、ヒンジ１３が設けられた側（後面側）の端縁部には、原稿カバー５と一体に次の構造の立壁部５ｂが形成されている。すなわち、図１に示すように、給紙口９の上方に相当する凹所５ａの縁部には、その先端が前方（原稿カバー５の自由端側）へ向かって鋭角で傾斜され、その幅が給紙口の幅（凹所の幅）と同等な立壁部５ｂが形成されている。
【００１９】
また、立壁部５ｂの高さは、用紙載置板１１が原稿カバー５の上に倒伏されたときに（図２の二点差線）、立壁部５ｂの上端が用紙載置板１１に接触しない高さであって、原稿カバー５が上方へ開かれたときに（図３の二点差線）、原稿カバー５の上に置かれているクリップ等の物品Ｆが、原稿カバー５上を滑落しても、その物品Ｆが受止められる高さに設定されている。本実施形態では、倒伏した状態の用紙載置板１１と原稿カバー５の上面との間にできる距離の半分程度に形成されている。
【００２０】
従って、本実施形態のスキャナ機能を有するプリンタ１を使用して原稿の読取りを行うときに、ユーザがうっかりと原稿カバー５上にクリップ等の物品Ｆを置いたとしても、原稿カバー５が上方へ回動されることによって原稿カバー５のヒンジ１３側（装置の後面側）へ滑落しても、物品Ｆは立壁部５ｂによって確実に受止められ、給紙口９へ落下してしまうことを防止することができる。
【００２１】
立壁部５ｂによって受止められた物品Ｆは立壁部５ｂの基端付近に留まり、ユーザによって原稿カバー５を閉じる操作が行われたとき等に容易に視認できる。そのため、ユーザが当該物品Ｆの存在を失念していた場合でも、そのことに気付き物品Ｆを取り出すことができる。
【００２２】
なお、ユーザが原稿カバー５上に置く物品Ｆとしては、原稿から外したクリップ等のような比較的小さな物品の他に、ボールペン等の筆記具のように比較的大きな物品である場合もありうる。しかしながら、立壁部５ｂの高さが前述の範囲内で充分な高さであれば、それらの物品が原稿カバー５上を滑落しても、立壁部５ｂによって確実に受止めることができる。立壁部５ｂによって受止められた物品Ｆは、場合によっては立壁部５ｂに衝突した反動で原稿カバー５上から飛び出そうとする不規則な動きをすることもありうる。しかしながら、立壁部５ｂが前方へ向かって適当な角度（例えば４５度）で傾斜しているので、物品Ｆのそのような不規則な動きは抑制され、物品Ｆが原稿カバー５上から飛び出してしまうことが防止される。
【００２３】
また、立壁部５ｂと原稿カバー５は一体として成型されるのでコストの上昇を防止することができると共に、立壁部５ｂと原稿カバー５の角度等に関して製品ごとのばらつきを最小限にすることができる。
【００２４】
さらに、本発明は、原稿載置面を覆う開閉自在な原稿カバーと、その原稿カバーのヒンジの近傍に配置された給紙口を備えるプリンタであれば、インクジェット、レーザその他のプリンタに実施することができる。
【図面の簡単な説明】
【００２５】
【図１】本発明の一実施形態に係るスキャン機能を有するプリンタの全体斜視図。
【図２】同プリンタの用紙載置板の動作範囲を示す側面図。
【図３】同プリンタの原稿カバーの動作範囲を示す側面図。
【符号の説明】
【００２６】
１  プリンタ
２  筐体
４  原稿載置面
５  原稿カバー
５ｂ  立壁部
９  給紙口
１１  用紙載置板
１３  ヒンジ
Ｆ  物品
【図１】
2007049512.tif 000003
【図２】
2007049512.tif 000004
【図３】
2007049512.tif 000005